(57)【要約】      （修正有）【課題】切替スイッチを盗難防止モードに入れた後は、衝撃電圧発生回路は停止状態となり、ブザーＢＺが発音する盗難防止用の電気供給回路を備えた電源装置を提供する。【解決手段】衝撃電圧発生回路に電気を供給する電気供給回路が、電源と衝撃電圧発生回路への電気供給を「入り」又は「切り」に切り替える開閉スイッチＳ２との間にあって、衝撃電圧発生回路へ電気の供給を制御する盗難防止モードＴ２又は衝撃電圧発生回路に電気を供給する通常モードＴ１に接続され、切替スイッチＫＳが盗難防止モードＴ２へ「入り」の状態において、開閉スイッチＳ２を切り替えた場合や、電気柵電源装置から電源を一旦取り外し、再び電源を電気柵電源装置に接続した場合でも、電気信号を発生させてブザーＢＺを発音させ、電源が衝撃電圧発生回路との接続から外される回路である。【選択図】図１
2010257389.tif 000002
【特許請求の範囲】
【請求項１】
電源と、害獣侵入防止用電気柵に衝撃電圧を供給する衝撃電圧発生回路との間に、電気を衝撃電圧発生回路に供給するための電源供給回路が接続され、
電源供給回路は電源と、衝撃電圧発生回路へ電気の供給を「入り」又は「切り」に切り替える開閉スイッチとの間に、衝撃電圧発生回路へ電気を供給する通常モード又は衝撃電圧発生回路へ電気の供給を制御する盗難防止モードに切り替える切替スイッチが接続され、
切替スイッチが盗難防止モードへ接続された状態において、開閉スイッチの切り替えを感知して発生した電気信号により衝撃電圧発生回路へ電気が供給されない回路であることを特徴とする電気柵用電源装置。
【請求項２】
前記切替スイッチが、スイッチ部とこのスイッチ部の操作に必要な操作器具とが分離しているスイッチであることを特徴とする請求項１に記載の電気柵用電源装置。
【請求項３】
前記電源供給回路が、発生した電気信号により警報を発生する警報装置を備えていることを特徴とする請求項１又は２のいずれかに記載の電気柵用電源装置。
【請求項４】
前記電源供給回路が、電気信号を発生した後に電源と電源供給回路との接続が外され、その後再び電源供給回路へ接続した場合に、開閉スイッチの「入り」又は「切り」の状態に関係なく電気信号を発生させる回路であることを特徴とする請求項１〜３のいずれかに記載の電気柵用電源装置。
【請求項５】
前記電源供給回路が前記電気信号により発生させた電波を外部の受信部へ発信する発信部を備えたことを特徴とする請求項１〜４のいずれかに記載の電気柵用電源装置。
【発明の詳細な説明】
【技術分野】
【０００１】
本発明は、田畑に猪や鹿などの害獣が侵入するのを防ぐため、田畑の周囲に設置される害獣侵入防止用電気柵（以下「電気柵」という。）に接続して電気を供給する電気柵用電源装置に関し、特に盗難を予防するための電気供給回路を備えた電気柵用電源装置（以下「電源装置」という。）に関する。
【背景技術】
【０００２】
電気柵は、猪、猿、鹿などの害獣が田畑などに侵入しようとするのを防止するため、田畑などのまわりに裸電線をめぐらせ、その裸電線に電気ショック用の衝撃電圧をかける電源装置を接続して、電気を流すものである。田畑に侵入しようとする猪、猿、鹿などの害獣は、その裸電線に触れて強い電気ショックを受けるので田畑に侵入することができない。こうして、田畑を害獣の食害から守るものである（特許文献１〜５参照）。
【０００３】
ところが、電源装置は、次の理由で盗まれることが多い。（１）猪、鹿などの害獣に確かな侵入防止効果がある。（２）電源装置は多くが屋外に設置される。（３）人の気配の少ないところに設置される。（４）スイッチを切り、電気柵につながる電線の接続を外すだけで簡単に取り外しできる。（５）電源装置は小型軽量で持ち運びやすい。（６）盗んだ電源装置はスイッチさえ入れれば、再び使用できる。（７）盗んだ電源装置は、盗難品かどうかが
判りにくい。（８）盗んだ電源装置は中古商品として売買される。
このため、各地の電気柵の使用者からは電源装置が盗まれないようにしてほしいという要
望が多数寄せられている。
【０００４】
盗難防止は次の二つの方法が考えられる。
第一は電源装置が移動出来ないように物理的にしっかりと固着することである。
第二は例え盗難に遭っても電源装置が使用不能の状態にすることである。第二の方法であれば前記盗難理由の（６）の再使用が出来ないから  また同理由の（８）の中古品としても売買出来ないから盗難を予防することが出来る。
【０００５】
電源装置の盗難防止のため、特許文献４には、電気柵に高電圧を発生させる電牧器と、電牧器の電源となる電池と、電牧器及び電池を内蔵し、外周部がアースとして機能する柱体本体とを備えた電気柵用電牧器内蔵柱体が記載されている。
また、特許文献５には、地中に埋設される本杭と、本杭の基端側に一端が連結されたワイヤ又はチェーン部材と、本杭の基端側の係止孔に挿入された状態で地中に埋設される固定杭、ワイヤ又はチェーン部材の他端と電気柵の裸電線に衝撃電圧を供給する電気柵本器とを着脱可能に連結する錠とを備えた盗難防止具が記載されている。
【先行技術文献】
【特許文献】
【０００６】
【特許文献１】特開２００７−１７５００７号公報
【特許文献２】特開２００５−１５１７４８号公報
【特許文献３】特開２００４−００００６３号公報
【特許文献４】特開２００９−０２２２４６号公報
【特許文献５】実用新案登録第３１４９８６２号公報
【発明の概要】
【発明が解決しようとする課題】
【０００７】
前記引用文献４の電牧器内蔵柱体では、柱を地面から抜いて盗み、再び使用が可能となるため、盗難防止の効果が期待できない。また、電牧器、電池を内蔵させるための柱が必要となり、さらに柱内への電牧器、電池の据え付け、電牧器の柱の外側からの操作のため、構造が複雑となるという問題がある。
また、前記引用文献５では、ワイヤ又はチェーン部材を切断して盗まれた電源装置は、電気柵に接続して再使用可能となり、盗難防止にはならない。
【０００８】
そこで本発明は、電源装置が盗難に遭った場合、使用不能な状態になるように、衝撃電圧発生回路が作動せず衝撃電圧を発生せず、また警報を発生させた場合に、警報を停止するため電源を外しても再び電源を接続すると再び警報を発し、衝撃電圧を発生せず、電気柵として使用出来ない電源装置を提供するものである。
【課題を解決するための手段】
【０００９】
請求項１の発明は、電源と、害獣侵入防止用電気柵に衝撃電圧を供給する衝撃電圧発生回路との間に、電気を衝撃電圧発生回路に供給するための電源供給回路が接続され、電源供給回路は電源と、衝撃電圧発生回路へ電気の供給を「入り」又は「切り」に切り替える開閉スイッチとの間に、衝撃電圧発生回路へ電気を供給する通常モード又は衝撃電圧発生回路へ電気の供給を制御する盗難防止モードに切り替える切替スイッチが接続され、切替スイッチが盗難防止モードへ接続された状態において、開閉スイッチの切り替えを感知して発生した電気信号により衝撃電圧発生回路へ電気が供給されない回路であることを特徴とする電気柵用電源装置である。
【００１０】
請求項２の発明は、前記切替スイッチが、スイッチ部とこのスイッチ部の操作に必要な操作器具とが分離しているスイッチであることを特徴とする請求項１に記載の電気柵用電源装置である。
【００１１】
請求項３の発明は、前記電源供給回路が、発生した電気信号により警報を発生する警報装置を備えていることを特徴とする請求項１又は２のいずれかに記載の電気柵用電源装置である。
【００１２】
請求項４の発明は、前記電源供給回路が、電気信号を発生した後に電源と電源供給回路との接続が外され、その後再び電源供給回路へ接続した場合に、開閉スイッチの「入り」又は「切り」の状態に関係なく電気信号を発生させる回路であることを特徴とする請求項１〜３のいずれかに記載の電気柵用電源装置である。
【００１３】
請求項５の発明は、前記電源供給回路が前記電気信号により発生させた電波を外部の受信部へ発信する発信部を備えたことを特徴とする請求項１〜４のいずれかに記載の電気柵用電源装置である。
【発明の効果】
【００１４】
請求項１の発明により、切替スイッチを通常モードに接続されている状態においては開閉スイッチを切り替えた場合にその「切り替え」を感知して電気信号を発生させることはなく、切替スイッチが盗難防止モードへ接続されている状態において、開閉スイッチを切り替えた場合にその「切り替え」を感知して電気信号が発生する。この電気信号の発生により、盗難に遭った電源装置は衝撃電圧が発生されず、窃盗犯人またはこの盗難された電源装置を譲渡された者が使用不能の状態になるので、電源装置の盗難を防止することが出来る。
【００１５】
請求項２の発明により、切替スイッチがスイッチ部と操作するために必要な操作器具に分離しているため、開閉スイッチを操作してこの警報装置が駆動されて警報音を発生させた場合、窃盗犯人もしくは、この盗難された電源装置を譲渡された者は操作するための器具を所持していないから警報音を停止し正常な状態に戻すことは出来ない。よって使用も出来ないし、商品価値がなくなり中古品としても売買できないから、盗難防止に効果的である。
【００１６】
請求項３の発明により、発生した電気信号により警告音や警告灯等の警報装置を駆動し警報を発することにより窃盗を防止できる。また、その電気信号により、衝撃電圧発生回路へ電源の供給が停止される。
【００１７】
請求項４の発明により、電源供給回路が電気信号を発生した後、電源の電源供給回路への接続が外され、その後再び電源供給回路へ接続した場合でも、開閉スイッチの「入り」又は「切り」の状態に関係なく電気信号を発生させ前期同様警報装置を駆動し衝撃電圧発生回路へ電源の供給が停止されるので、電源供給回路が機能しなくなるので、商品価値がなくなり中古品としても売買できないから盗難を予防することが出来る。
【００１８】
請求項５の発明のより、発生した電気信号により電波を発信させ  監視装置の受信部や携帯電話で受信することで遠隔地に盗難を知らせることができる。
【図面の簡単な説明】
【００１９】
【図１】本発明の電源装置のリレーを使用した電気供給回路を示す図である。
【図２】回路のタイムチャート（その１）である。
【図３】回路のタイムチャート（その２）である。
【図４】回路のタイムチャート（その３）である。
【図５】デジタルＩＣ使用の電気供給回路を示す図である。
【図６】シーケンサによる電気供給回路を示す図である。
【図７】マイクロコンピュータを含む電気供給回路を示す図である。
【図８】鍵付スイッチに代えて近接スイッチを使用した電気供給回路を示す図である。
【発明を実施するための形態】
【００２０】
本発明の電気供給回路は、図１に示すスイッチとリレーの組み合わせによるもの、図５に示すデジタルＩＣによるもの、図６に示す鍵付スイッチ等が接続されたシーケンサによるもの、図７に示す鍵付スイッチ等を接続されたマイクロコンピュータによるものなどで構成することができる。
【００２１】
切替スイッチは、衝撃電圧発生回路へ電気の供給を制御する盗難防止モード又は衝撃電圧発生回路へ電気を供給する通常モードに切り替えるスイッチである。切り替えスイッチは、スイッチ本体部と鍵や近接スイッチなどのように操作に必要な操作器具が分離しているスイッチ、例えば鍵付スイッチを使用してある。鍵付スイッチはスイッチ本体部と鍵に分かれている。スイッチ本体部には鍵穴が掘穿されている。この鍵付スイッチを操作する場合  鍵をスイッチ本体部に掘穿された鍵穴に鍵を差込み操作する。鍵を鍵穴に差し込まなければこのスイッチは操作できない。鍵はこの電源装置の所有者が所持している。
【００２２】
切り替えスイッチは、鍵付スイッチに代えて図８に示す磁気を使用した近接スイッチ等を使用してもよい。
【００２３】
近接スイッチの磁気発生器具部を電気柵電源装置の所有者が保管しておけば鍵付スイッチ使用の場合と同様の効果が発生する。また、鍵スイッチ、近接スイッチ以外のスイッチであっても  操作するためにスイッチ本体以外の器具を必要とするものであって可搬型のものを使用すれば同様の効果を発生させることができる。たとえば、特殊な光線や電波、音波等でＯＮ、ＯＦＦできるスイッチ等がある。
【００２４】
要するにスイッチ本体と鍵や近接スイッチ等の操作に必要な操作器具が分離されており、操作器具を使用しないとスイッチ本体がＯＮ，ＯＦＦできないスイッチであればいかなるスイッチでも実施できる。
【００２５】
以下に本発明の実施例をスイッチとリレーを組み合わせて構成した電気供給回路によって説明する。
【実施例１】
【００２６】
図１に示す電気供給回路において、Ｅ：直流電源、ＢＺ：ブザー、ＫＳ：単極双投形の鍵付スイッチで、衝撃電圧発生回路へ電気を供給する通常モード（Ｔ１）又は衝撃電圧発生回路へ電気の供給を制御する盗難防止モード（Ｔ２）の端子に切り替える。
Ｓ２：衝撃電圧発生回路へ電気の供給を「入り」又は「切り」に切り替える単極単投形の開閉スイッチ、Ｄ１，Ｄ２−１，Ｄ２−２，Ｄ３，Ｄ５：ダイオード、Ｃ１，Ｃ３，Ｃ５：コンデンサー、＝：ａ接点、≠：ｂ接点、Ｌ１〜Ｌ６：リレーのコイル、Ｒ１，Ｒ３，Ｒ５：抵抗、Ｐ１、Ｐ２、Ｐ４、Ｐ６、Ｐ７：説明のための位置点である。なお、Ｓ０は電源の接続を故意に外した場合について説明するために図に示した仮想のスイッチであり、実際にはない。
【００２７】
また、リレーの記号を以下のように表す。
リレーＲＬ１のコイルをＬ１で表し、そのｂ接点をＬ１ｂで表す。リレーＲＬ２のコイルをＬ２で表し、そのｂ接点をＬ２ｂで表す。リレーＲＬ３のコイルをＬ３で表し、そのａ接点をＬ３ａで表す。リレーＲＬ４のコイルをＬ４で表し、そのａ接点をＬ４ａで表す。リレーＲＬ５のコイルをＬ５で表し、そのａ接点をＬ５ａで表す。リレーＲＬ６のコイルをＬ６で表し、そのａ接点をＬ６ａ１、Ｌ６ａ２，ｂ接点をＬ６ｂ１で表す。
【００２８】
以上のリレーの接点を整理すると表１のとおりである。
【表１】
2010257389.tif 000003
【００２９】
次ぎに図２〜図４に示すタイムチャートを参照して、種々のケースについて電気供給回路の動作を説明する。
なお、図２〜４のタイムチャートにおいて、コイルはＨ：励磁、Ｌ：消磁、接点は○：閉、×：開、Ｐ１、Ｐ２、Ｐ４、Ｐ６、Ｐ７はＨ：電位あり、Ｌ：電位なし（零電位）を表す。
【００３０】
（１）ケース１（図２のタイムチャート１〜５参照）
仮想のスイッチＳ０がＯＦＦの状態である。電源の接続を外した状態であるために電源が切れているので  鍵スイッチＫＳがＴ１，Ｔ２、開閉スイッチＳ２がＯＮ，ＯＦＦの何れの位置に接続されてもＢＺは無音であり、そして衝撃電圧発生回路は停止状態である。
【００３１】
（２）ケース２（図２のタイムチャート６〜１０参照）
｛Ｓ０（ＯＮ固定）、ＫＳ（Ｔ１固定）、Ｓ２（ＯＦＦ→ＯＮ→ＯＦＦ）｝の状態で、Ｓ０，ＫＳ，Ｓ２の操作者は電気柵電源装置の所有者である。この状態では、Ｓ２のＯＮ，ＯＦＦで衝撃電圧発生回路は作動、停止を繰り返す。ＢＺはいずれも無音である。
なお、タイムチャート８，１０においては、Ｌ３が遅れてＬとなる。また、タイムチャート８，１０において、Ｐ４が短い時間Ｈとなる。
【００３２】
（３）ケース３（図２のタイムチャート１１〜１５参照）
｛Ｓ０（ＯＮ固定）、ＫＳ（Ｔ１またはＴ２）、Ｓ２（ＯＦＦ固定）｝の状態で、Ｓ０，ＫＳ，Ｓ２の操作者は電気柵電源装置の所有者である。この状態では、ＫＳをＴ１に接続しても、Ｔ２に接続しても衝撃電圧発生回路は停止状態、ＢＺは無音であり支障はない。
なお、タイムチャート１２，１４において、Ｌ１が遅れてＬになり、タイムチャート１３，１５において、Ｌ１が遅れてＨになり、遅れる時間をｔ１０とする。また、タイムチャート１２，１４において、Ｌ５が短い時間Ｈとなり、そのＬ５がＨとなる短い時間をｔ５０とすると、ｔ１０＞ｔ５０になるようＲ１，Ｃ１，Ｃ５が選んである。
【００３３】
（４）ケース４（図３のタイムチャート１７〜２０参照）
｛Ｓ０（ＯＮ固定）、ＫＳ（Ｔ１またはＴ２）、Ｓ２（ＯＮ固定）｝の状態で、Ｓ０，ＫＳ，Ｓ２の操作者は電気柵電源装置の所有者である。この状態では、ＫＳをＴ１に接続しても、Ｔ２に接続しても衝撃電圧発生回路は作動し、ＢＺは無音である。
なお、タイムチャート１８，２０において、Ｌ１が遅れてＬになり、タイムチャート１９において、Ｌ１が遅れてＨになる。また、タイムチャート１７において、Ｌ３が遅れてＨとなる。また、タイムチャート１８，２０において、Ｌ５が短い時間Ｈとなる。
【００３４】
（５）ケース５（図３のタイムチャート２１〜２６参照）
Ｓ０（ＯＮ固定）、ＫＳ（Ｔ１→Ｔ２に固定）、Ｓ２（ＯＦＦ→ＯＮ）｝の状態で、Ｓ０，ＫＳの操作者は電気柵電源装置の所有者である。Ｓ２を所有者が先に操作し（タイムチャート２１〜２３参照）、その後窃盗犯人が操作するケースである（タイムチャート２４〜２６参照）。
【００３５】
（ａ）Ｓ０がＯＮの状態（電源を接続した状態）であって、電気柵電源装置の所有者はＳ２（ＯＦＦ）の状態でＫＳを（Ｔ１→Ｔ２固定）として、その後所有者はＳ２（ＯＮ）とする（タイムチャート２２→２３）。Ｓ２（ＯＮ）になった時点で、衝撃電圧発生回路は作動しＢＺは無音である。その後所有者はＫＳより鍵（キー）を抜き取り保管する。
【００３６】
（ｂ）次に窃盗犯人が電気柵電源装置を盗もうとして、衝撃電圧発生回路を停止状態にするため、Ｓ２を（ＯＮ）から（ＯＦＦ）に切り替える（タイムチャート２３→２４）。このとき、Ｌ６は自己保持され、ＢＺが発音し、衝撃電圧発生回路は停止状態となる。
ＢＺを発音させる信号が発生すると、この信号でを電波発信器に導き、電波を発信し、その電波を遠隔地に設置した受信器で受信し、受信機内で復調し、電気柵電源装置の窃盗を知ることもできる。受信器は携帯電話ででもよい。
【００３７】
（ｃ）前記（ｂ）の状態で一旦ＢＺが発音、衝撃電圧発生回路が停止状態となった後、窃盗犯人が、驚いてＳ２をＯＮに戻しても（タイムチャート２５）、ＢＺが発音し続け、衝撃電圧発生回路が停止状態となったままである。さらにＯＦＦにしても（タイムチャート２６）、ＢＺが発音し続け、衝撃電圧発生回路の停止状態が続く。  
なお、鍵スイッチＫＳを（Ｔ２→Ｔ１）に切り替えると、ＢＺが無音となり、衝撃電圧発生回路も作動できる状態になるが、窃盗犯人は鍵不所持のためＫＳは操作できないため、ＢＺが発音し続け、衝撃電圧発生回路の停止状態が続く。
【００３８】
（６）ケース６（図４のタイムチャート２７ａ〜３０ａ参照）
前記（５）の（ｂ）〜（ｃ）でＢＺ発音、衝撃電圧発生回路が停止状態となった場合、窃盗犯人は電源を取り外す状態である。
【００３９】
（ａ）窃盗犯人が、電気柵電源装置のＢＺの発音を無音にしようとして、電源装置から電源である電池との接続を外した場合（Ｓ０（ＯＦＦ）の場合）は、電源が全くなくなるので当然ＢＺが無音となり、衝撃電圧発生回路が停止状態となる（タイムチャート２８ａ参照、前記タイムチャート３と同じ。）
【００４０】
（ｂ）しかし、前記（ａ）で電源を外した後、再び電源を接続した場合（Ｓ０（ＯＮ）の場合）、Ｌ６は自己保持され S２がＯＦＦであってもＯＮであっても（タイムチャート２９ａ、３０ａ）、ＢＺは発音、衝撃電圧発生回路は停止状態である。
こうしてこの電源装置は、再び使用することが不可能となる。したがって、窃盗犯人が自分で使用することもできないし、また、他人へ転売しようとしても、使用不能で価値がないので、転売もできなくなる。
【００４１】
（７）ケース７（図４のタイムチャート２７ｂ〜３０ｂ参照）
ＢＺの発音及び衝撃電圧発生回路の停止状態から通常状態への復帰させるものである。
ＢＺの発音や受信器による盗難の報知により、ＫＳの鍵を保管している電気柵電源装置の所有者は、鍵を所持して、電源装置が設置してある電気柵電源装置へ出向き、ＢＺの発音、衝撃電圧発生回路の停止状態を確認する（タイムチャート２７ｂ）
【００４２】
（ａ）鍵式スイッチＫＳに鍵をさし込み（Ｔ２からＴ１）に切り替える。すると、ＢＺが無音、衝撃電圧発生回路が作動できる状態に戻る（タイムチャート２８ｂ、前記（２）の状態に戻ることになる。）
【００４３】
（ｂ）Ｓ２をＯＮやＯＦＦに切り換えると、ＢＺを発音させずに衝撃電圧発生回路を作動、停止させる通常の状態となる（タイムチャート２９ｂ、３０ｂ）。
こうして、上記のようにＫＳを（Ｔ１）に固定しておくと衝撃電圧発生回路は正常に作動しＢＺは無音である。そしてＫＳを（Ｔ２）に固定しておくと、Ｓ２（ＯＮ→ＯＦＦ）時に衝撃電圧発生回路は停止状態となりＢＺは発音する。以後Ｓ２をＯＮにしてもＯＦＦにしてもその状態は変わらない。また、この状態から電源を取り外してその後再び電源を接続すると、衝撃電圧発生回路は停止状態となり、ＢＺは発音する状態になる。
【符号の説明】
【００４４】
Ｅ：直流電源
Ｓ０：仮想のスイッチ
ＢＺ：ブザー
ＫＳ：鍵スイッチ
Ｔ１：通常側
Ｔ２：盗難防止側
Ｓ２：開閉スイッチ
Ｄ１，Ｄ２−１，Ｄ２−２，Ｄ３，Ｄ５：ダイオード
Ｃ１，Ｃ３，Ｃ５：コンデンサー
Ｌ１〜Ｌ６：リレーのコイル
Ｒ１，Ｒ３，Ｒ５：抵抗
Ｐ１、Ｐ２、Ｐ４、Ｐ６、Ｐ７：導通点
【図１】
2010257389.tif 000004
【図５】
2010257389.tif 000005
【図６】
2010257389.tif 000006
【図７】
2010257389.tif 000007
【図８】
2010257389.tif 000008
【図２】
2010257389.tif 000009
【図３】
2010257389.tif 000010
【図４】
2010257389.tif 000011
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
電源と、害獣侵入防止用電気柵に衝撃電圧を供給する衝撃電圧発生回路との間に、電気を衝撃電圧発生回路に供給するための電源供給回路が接続され、
電源供給回路は、衝撃電圧発生回路へ電気の供給を「入り」又は「切り」に切り替える開閉スイッチと、衝撃電圧発生回路へ電気を供給する通常モード又は衝撃電圧発生回路へ電気の供給を制御する盗難防止モードに切り替える切替スイッチが接続され、
切替スイッチが盗難防止モードへ接続された状態において、開閉スイッチの切り替えを感知して発生した電気信号により衝撃電圧発生回路へ電気が供給されない回路であることを特徴とする電気柵用電源装置。
【請求項２】
前記切替スイッチが、スイッチ部とこのスイッチ部の操作に必要な操作器具とが分離しているスイッチであることを特徴とする請求項１に記載の電気柵用電源装置。
【請求項３】
前記電源供給回路が、発生した電気信号により警報を発生する警報装置を備えていることを特徴とする請求項１又は２のいずれかに記載の電気柵用電源装置。
【請求項４】
前記電源供給回路が、電源と電源供給回路との接続が外され、その後再び電源供給回路へ接続した場合に、開閉スイッチの「入り」又は「切り」の状態に関係なく電気信号を発生させる回路であることを特徴とする請求項１〜３のいずれかに記載の電気柵用電源装置。
【請求項５】
前記電源供給回路が前記電気信号により発生させた電波を外部の受信部へ発信する発信部を備えたことを特徴とする請求項１〜４のいずれかに記載の電気柵用電源装置。
【手続補正２】
【補正対象書類名】明細書
【補正対象項目名】０００９
【補正方法】変更
【補正の内容】
【０００９】
請求項１の発明は、電源と、害獣侵入防止用電気柵に衝撃電圧を供給する衝撃電圧発生回路との間に、電気を衝撃電圧発生回路に供給するための電源供給回路が接続され、電源供給回路は、衝撃電圧発生回路へ電気の供給を「入り」又は「切り」に切り替える開閉スイッチと、衝撃電圧発生回路へ電気を供給する通常モード又は衝撃電圧発生回路へ電気の供給を制御する盗難防止モードに切り替える切替スイッチが接続され、切替スイッチが盗難防止モードへ接続された状態において、開閉スイッチの切り替えを感知して発生した電気信号により衝撃電圧発生回路へ電気が供給されない回路であることを特徴とする電気柵用電源装置である。
【手続補正３】
【補正対象書類名】明細書
【補正対象項目名】００１２
【補正方法】変更
【補正の内容】
【００１２】
請求項４の発明は、前記電源供給回路が、電源と電源供給回路との接続が外され、その後再び電源供給回路へ接続した場合に、開閉スイッチの「入り」又は「切り」の状態に関係なく電気信号を発生させる回路であることを特徴とする請求項１〜３のいずれかに記載の電気柵用電源装置である。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
電源と、害獣侵入防止用電気柵に衝撃電圧を供給する衝撃電圧発生回路との間に、電気を衝撃電圧発生回路に供給するための電源供給回路が接続され、
電源供給回路は、衝撃電圧発生回路へ電気の供給を「入り」又は「切り」に切り替える開閉スイッチと、衝撃電圧発生回路へ電気を供給する通常モード又は衝撃電圧発生回路へ電気の供給を制御する盗難防止モードに切り替える切替スイッチが接続され、
電源供給回路が、切替スイッチが盗難防止モードへ接続された状態において、開閉スイッチの切り替えにより電気信号を発生させ、この発生した電気信号により、衝撃電圧発生回路を停止状態にし、その後開閉スイッチを切り替えても衝撃電圧発生回路の停止状態を維持する回路であることを特徴とする電気柵用電源装置。
【請求項２】
前記切替スイッチが、スイッチ部とこのスイッチ部の操作に必要な操作器具とが分離しているスイッチであることを特徴とする請求項１に記載の電気柵用電源装置。
【請求項３】
前記電源供給回路が、発生した電気信号により警報を発生する警報装置を備えていることを特徴とする請求項１又は２のいずれかに記載の電気柵用電源装置。
【請求項４】
前記電源供給回路が、電源と電源供給回路との接続が外され、その後再び電源供給回路へ接続した場合に、開閉スイッチの「入り」又は「切り」の状態に関係なく電気信号を発生させる回路であることを特徴とする請求項１〜３のいずれかに記載の電気柵用電源装置。
【請求項５】
前記電源供給回路が前記電気信号により発生させた電波を外部の受信部へ発信する発信部を備えたことを特徴とする請求項１〜４のいずれかに記載の電気柵用電源装置。
【手続補正２】
【補正対象書類名】明細書
【補正対象項目名】０００９
【補正方法】変更
【補正の内容】
【０００９】
請求項１の発明は、電源と、害獣侵入防止用電気柵に衝撃電圧を供給する衝撃電圧発生回路との間に、電気を衝撃電圧発生回路に供給するための電源供給回路が接続され、電源供給回路は、衝撃電圧発生回路へ電気の供給を「入り」又は「切り」に切り替える開閉スイッチと、衝撃電圧発生回路へ電気を供給する通常モード又は衝撃電圧発生回路へ電気の供給を制御する盗難防止モードに切り替える切替スイッチが接続され、電源供給回路が、切替スイッチが盗難防止モードへ接続された状態において、開閉スイッチの切り替えにより電気信号を発生させ、この発生した電気信号により、衝撃電圧発生回路を停止状態にし、その後開閉スイッチを切り替えても衝撃電圧発生回路の停止状態を維持する回路であることを特徴とする電気柵用電源装置である。